(57)【要約】【課題】待受中に、有用な情報を発呼者に提供する。【解決手段】メッセージ配信システム１は、携帯電話２の待受中の画面に、発呼先に対応したメッセージを表示するシステムである。メッセージ配信システム１は、携帯電話２と、メッセージ配信装置３と、を備える。携帯電話２とメッセージ配信装置３とは、インターネットを介して、データ通信可能に接続されている。また、携帯電話２は、電話網を介して、固定電話や他の携帯電話等の発呼先と音声通信（通話）可能に接続されている。【選択図】図１
2014216687.tif 000002
【特許請求の範囲】
【請求項１】
通話機能を有する端末と、該端末に通信ネットワークを介して接続されるメッセージ配信装置と、を備えるメッセージ配信システムであって、
前記端末は、
発呼した際に、発呼先及び／又は発呼元の識別情報を含むメッセージ取得要求を前記メッセージ配信装置に送信するメッセージ取得要求送信手段を備え、
前記メッセージ配信装置は、
前記識別情報とメッセージとを対応付けて記憶するメッセージ記憶手段と、
前記端末から前記メッセージ取得要求を受信するメッセージ取得要求受信手段と、
前記受信したメッセージ取得要求に含まれる発呼先及び／又は発呼元の識別情報に対応するメッセージを前記メッセージ記憶手段から取得するメッセージ取得手段と、
前記メッセージ取得手段が取得したメッセージを前記端末に送信するメッセージ送信手段と、を備え、
前記端末は、
前記メッセージ配信装置からメッセージを受信するメッセージ受信手段と、
前記受信したメッセージを表示するメッセージ表示手段と、をさらに備える、
ことを特徴とするメッセージ配信システム。
【請求項２】
前記識別情報は、電話番号である、
ことを特徴とする請求項１に記載のメッセージ配信システム。
【請求項３】
前記メッセージ配信装置は、
前記通信ネットワークを介して外部のシステムからメッセージを取得し、前記メッセージ記憶手段に記憶されているメッセージを更新するメッセージ更新手段をさらに備える、
ことを特徴とする請求項１又は２に記載のメッセージ配信システム。
【請求項４】
前記メッセージ取得手段は、前記受信したメッセージ取得要求に含まれる発呼先及び／又は発呼元の識別情報に対応するメッセージを記憶していない場合、その旨を通知する未登録通知メッセージを前記メッセージ記憶手段から取得する、
ことを特徴とする請求項１乃至３の何れか１項に記載のメッセージ配信システム。
【請求項５】
前記端末は、
前記端末が発呼先と通話可能になったか否かを判別する接続判別手段をさらに備え、
前記メッセージ表示手段は、前記接続判別手段が通話可能と判別した際に、その旨を通知するメッセージを表示する、
ことを特徴とする請求項１乃至４の何れか１項に記載のメッセージ配信システム。
【請求項６】
通話機能を有する端末に通信ネットワークを介して接続されるメッセージ配信装置であって、
前記端末が発呼した際に、該端末から発呼先及び／又は発呼元の識別情報を含むメッセージ取得要求を受信するメッセージ取得要求受信手段と、
前記識別情報とメッセージとを対応付けて記憶するメッセージ記憶手段と、
前記受信したメッセージ取得要求に含まれる識別情報に対応するメッセージを前記メッセージ記憶手段から取得するメッセージ取得手段と、
前記メッセージ取得手段が取得したメッセージを前記端末に送信するメッセージ送信手段と、を備える、
ことを特徴とするメッセージ配信装置。
【請求項７】
通話機能を有し、通信ネットワークを介してメッセージ配信装置に接続される端末であって、
発呼した際に、発呼先及び／又は発呼元の識別情報を含むメッセージ取得要求を前記メッセージ配信装置に送信するメッセージ取得要求送信手段と、
前記メッセージ配信装置から、発呼先及び／又は発呼元の識別情報に対応したメッセージを受信するメッセージ受信手段と、
前記メッセージ受信手段が受信したメッセージを表示するメッセージ表示手段と、を備える、
ことを特徴とする端末。
【請求項８】
通話機能を有する端末に通信ネットワークを介して接続されるコンピュータを、
前記端末が発呼した際に、該端末から発呼先及び／又は発呼元の識別情報を含むメッセージ取得要求を受信するメッセージ取得要求受信手段、
前記識別情報とメッセージとを対応付けて記憶するメッセージ記憶手段、
前記受信したメッセージ取得要求に含まれる識別情報に対応するメッセージを前記メッセージ記憶手段から取得するメッセージ取得手段、
前記メッセージ取得手段が取得したメッセージを前記端末に送信するメッセージ送信手段、
として機能させるプログラム。
【請求項９】
通話機能を有し、通信ネットワークを介してメッセージ配信装置に接続されるコンピュータを、
発呼した際に、発呼先及び／又は発呼元の識別情報を含むメッセージ取得要求を前記メッセージ配信装置に送信するメッセージ取得要求送信手段、
前記メッセージ配信装置から、発呼先及び／又は発呼元の識別情報に対応したメッセージを受信するメッセージ受信手段、
前記メッセージ受信手段が受信したメッセージを表示するメッセージ表示手段、
として機能させるプログラム。
【発明の詳細な説明】
【技術分野】
【０００１】
本発明は、メッセージ配信システム、メッセージ配信装置、端末、及びプログラムに関する。
【背景技術】
【０００２】
携帯電話等の端末で電話をかけた際に、回線が混雑していたり、発呼先が話中である場合、発呼者の端末は待受中となる。待受中に何らかの情報を発呼者に提供する技術として、種々の技術が提案されている。
【０００３】
例えば、特許文献１には、通信に必要な空き無線チャネルがないため待受状態となっている場合に、その旨を示すメッセージを発呼元の端末に表示するシステムが記載されている。
【先行技術文献】
【特許文献】
【０００４】
【特許文献１】特開平９−２８４８３６号公報
【発明の概要】
【発明が解決しようとする課題】
【０００５】
特許文献１に記載のシステムでは、待受中に、その理由が発呼者に通知されるにすぎず、発呼者にとって有用な情報が提供されているとは言い難い。例えば、災害等が発生して回線が混雑している場合には、長時間待受中が続くことも考えられ、その間、発呼者は発呼先から何ら情報を得ることができず、非常に不便である。
【０００６】
本発明は、上記事情に鑑みてなされたものであり、待受中に、有用な情報を発呼者に提供することができるメッセージ配信システム、メッセージ配信装置、端末、及びプログラムを提供することを目的とする。
【課題を解決するための手段】
【０００７】
上記目的を達成するため、本発明の第１の観点に係るメッセージ配信システムは、
通話機能を有する端末と、該端末に通信ネットワークを介して接続されるメッセージ配信装置と、を備えるメッセージ配信システムであって、
前記端末は、
発呼した際に、発呼先及び／又は発呼元の識別情報を含むメッセージ取得要求を前記メッセージ配信装置に送信するメッセージ取得要求送信手段を備え、
前記メッセージ配信装置は、
前記識別情報とメッセージとを対応付けて記憶するメッセージ記憶手段と、
前記端末から前記メッセージ取得要求を受信するメッセージ取得要求受信手段と、
前記受信したメッセージ取得要求に含まれる発呼先及び／又は発呼元の識別情報に対応するメッセージを前記メッセージ記憶手段から取得するメッセージ取得手段と、
前記メッセージ取得手段が取得したメッセージを前記端末に送信するメッセージ送信手段と、を備え、
前記端末は、
前記メッセージ配信装置からメッセージを受信するメッセージ受信手段と、
前記受信したメッセージを表示するメッセージ表示手段と、をさらに備える、
ことを特徴とする。
【０００８】
上記目的を達成するため、本発明の第２の観点に係るメッセージ配信装置は、
通話機能を有する端末に通信ネットワークを介して接続されるメッセージ配信装置であって、
前記端末が発呼した際に、該端末から発呼先及び／又は発呼元の識別情報を含むメッセージ取得要求を受信するメッセージ取得要求受信手段と、
前記識別情報とメッセージとを対応付けて記憶するメッセージ記憶手段と、
前記受信したメッセージ取得要求に含まれる識別情報に対応するメッセージを前記メッセージ記憶手段から取得するメッセージ取得手段と、
前記メッセージ取得手段が取得したメッセージを前記端末に送信するメッセージ送信手段と、を備える、
ことを特徴とする。
【０００９】
上記目的を達成するため、本発明の第３の観点に係る端末は、
通話機能を有し、通信ネットワークを介してメッセージ配信装置に接続される端末であって、
発呼した際に、発呼先及び／又は発呼元の識別情報を含むメッセージ取得要求を前記メッセージ配信装置に送信するメッセージ取得要求送信手段と、
前記メッセージ配信装置から、発呼先及び／又は発呼元の識別情報に対応したメッセージを受信するメッセージ受信手段と、
前記メッセージ受信手段が受信したメッセージを表示するメッセージ表示手段と、を備える、
ことを特徴とする。
【００１０】
上記目的を達成するため、本発明の第４の観点に係るプログラムは、
通話機能を有する端末に通信ネットワークを介して接続されるコンピュータを、
前記端末が発呼した際に、該端末から発呼先及び／又は発呼元の識別情報を含むメッセージ取得要求を受信するメッセージ取得要求受信手段、
前記識別情報とメッセージとを対応付けて記憶するメッセージ記憶手段、
前記受信したメッセージ取得要求に含まれる識別情報に対応するメッセージを前記メッセージ記憶手段から取得するメッセージ取得手段、
前記メッセージ取得手段が取得したメッセージを前記端末に送信するメッセージ送信手段、
として機能させる。
【００１１】
上記目的を達成するため、本発明の第５の観点に係るプログラムは、
通話機能を有し、通信ネットワークを介してメッセージ配信装置に接続されるコンピュータを、
発呼した際に、発呼先及び／又は発呼元の識別情報を含むメッセージ取得要求を前記メッセージ配信装置に送信するメッセージ取得要求送信手段、
前記メッセージ配信装置から、発呼先及び／又は発呼元の識別情報に対応したメッセージを受信するメッセージ受信手段、
前記メッセージ受信手段が受信したメッセージを表示するメッセージ表示手段、
として機能させる。
【発明の効果】
【００１２】
本発明によれば、待受中に、有用な情報を発呼者に提供することができる。
【図面の簡単な説明】
【００１３】
【図１】実施形態に係るメッセージ配信システムの構成例を示す図である。
【図２】実施形態に係る携帯電話のハードウェア構成例を示す図である。
【図３】実施形態に係る携帯電話の機能構成例を示す図である。
【図４】実施形態に係るメッセージ配信装置のハードウェア構成例を示す図である。
【図５】実施形態に係るメッセージ配信装置の機能構成例を示す図である。
【図６】メッセージＤＢの構造例を示す図である。
【図７】実施形態に係るメッセージ配信システムの動作例を示すフローチャートである。
【図８】（Ａ）−（Ｃ）はいずれも、実施形態に係る携帯電話によるメッセージの表示例を示す図である。
【図９】メッセージＤＢの他の構造例を示す図である。
【図１０】メッセージＤＢの他の構造例を示す図である。
【図１１】メッセージ配信システムの他の構成例を示す図である。
【発明を実施するための形態】
【００１４】
以下、本発明の実施形態について、図面を参照しながら詳細に説明する。なお、図中同一または相当部分には同一符号を付す。
【００１５】
本発明の実施形態に係るメッセージ配信システム１の全体構成を図１に示す。このメッセージ配信システム１は、携帯電話２の待受中の画面に、発呼先に対応したメッセージを表示するシステムである。メッセージ配信システム１は、携帯電話２と、メッセージ配信装置３と、を備える。携帯電話２とメッセージ配信装置３とは、インターネットを介して、データ通信可能に接続されている。また、携帯電話２は、電話網を介して、固定電話や他の携帯電話等の発呼先に音声通信（通話）可能に接続されている。
【００１６】
携帯電話２は、例えば、スマートフォンであり、電話機能やインターネット接続機能を有する端末である。携帯電話２は、図２に示すように、制御部２０と、記憶部２１と、電話通信部２２と、操作部２３と、ディスプレイ２４と、音声入力部２５と、音声出力部２６と、データ通信部２７と、を備える。これらの各部は、バス２８を介して接続されている。
【００１７】
制御部２０は、ＣＰＵ（Central Processing Unit）、ＲＯＭ（Read Only Memory）、ＲＡＭ（Random Access Memory）等（何れも図示せず）を備え、ＣＰＵが、ＲＡＭをワークメモリとして用い、ＲＯＭや記憶部２１に記憶されている各種プログラムを適宜実行することにより、当該携帯電話２全体を制御する。
【００１８】
記憶部２１は、フラッシュメモリなどの書き換え可能な不揮発性メモリを備え、制御部２０が実行するためのプログラムや各種データを記憶する。
【００１９】
電話通信部２２は、無線通信を行うための内蔵アンテナ等を備え、制御部２０の制御の下、電話網を介して、発呼先と音声通信（通話）を行う。
【００２０】
操作部２３は、各種のキーボタンを備え、ユーザの操作を受け付け、この操作に対応した信号を制御部２０に出力する。ディスプレイ２４は、ＬＣＤ（Liquid Crystal Display）等を備え、制御部２０の制御の下、各種の画像や情報を表示する。
【００２１】
音声入力部２５は、マイク、ＡＤＣ（Analog to Digital Converter）等を備え、通話時等に、音声を収集しＡＤ（Analog to Digital）変換を施し、音声信号を電話通信部２２に供給する。
【００２２】
音声出力部２６は、スピーカ、ＤＡＣ（Digital to Analog Converter）等を備え、例えば、電話通信部２２が受信した音声信号にＤＡ（Digital to Analog）変換を施し、スピーカにより放音する。
【００２３】
データ通信部２７は、インターネット接続用の通信ユニットを備え、制御部２０の制御の下、インターネットを介して、メッセージ配信装置３と各種のデータを送受信する。
【００２４】
上記ハードウェア構成を有する携帯電話２は、機能的には、図３に示すように、通話部２００と、メッセージ取得要求送信部２０１と、メッセージ受信部２０２と、メッセージ表示部２０３と、接続判別部２０４と、を備える。
なお、携帯電話２は、動画像撮影機能、動画像再生機能、音楽再生機能など、通常の携帯電話が備える各種機能も備えているが、図３では本実施形態に特徴的な部分のみを示している。
【００２５】
通話部２００は、電話網を介して接続された発呼先に発呼して通話を行う等の一般的な電話としての機能を実現する。また、通話部２００は、発呼先に発呼した際に、その旨を通知する発呼通知信号をメッセージ取得要求送信部２０１と接続判別部２０４とに送信する。なお、この発呼通知信号には、発呼先の電話番号を示す情報が含まれているものとする。通話部２００は、制御部２０、電話通信部２２、音声入力部２５、及び、音声出力部２６等により実現される。
【００２６】
メッセージ取得要求送信部２０１は、通話部２００が発呼すると、発呼先の電話番号を含むメッセージ取得要求をメッセージ配信装置３に送信する。メッセージ取得要求送信部２０１は、制御部２０やデータ通信部２７等により実現される。
【００２７】
メッセージ受信部２０２は、待受中の画面に表示するメッセージをメッセージ配信装置３から受信し、メッセージ表示部２０３に出力する。メッセージ受信部２０２は、制御部２０やデータ通信部２７等により実現される。
【００２８】
メッセージ表示部２０３は、発呼先に電話をかけた際の待受中の画面に、メッセージ受信部２０２から出力されたメッセージを表示する。また、メッセージ表示部２０３は、接続判別部２０４からの通知に応答して、発呼先と通話可能になった旨を示すメッセージを表示する。メッセージ表示部２０３は、制御部２０やディスプレイ２４等により実現される。
【００２９】
接続判別部２０４は、通話部２００が発呼すると、定期的に（例えば、８ミリ秒ごとに）、発呼先と通話可能になったか否かを判別する。そして、通話可能と判別した場合、接続判別部２０４は、その旨をメッセージ表示部２０３に通知する。接続判別部２０４は、制御部２０等により実現される。
【００３０】
続いて、図１に示すメッセージ配信装置３について詳細に説明する。メッセージ配信装置３は、図４に示すように、制御部３０と、記憶部３１と、データ通信部３２と、を備える。これらの各部は、バス３３を介して接続されている。
【００３１】
制御部３０は、ＣＰＵ（Central Processing Unit）、ＲＯＭ（Read Only Memory）、ＲＡＭ（Random Access Memory）等（何れも図示せず）を備え、ＣＰＵが、ＲＡＭをワークメモリとして用い、ＲＯＭや記憶部に記憶されている各種プログラムを適宜実行することにより、当該メッセージ配信装置３全体を制御する。
【００３２】
記憶部３１は、ハードディスクドライブ等を備え、制御部３０が実行するプログラムや、携帯電話２に配信するメッセージや各種のデータ等を記憶する。
【００３３】
データ通信部３２は、ＮＩＣ（Network Interface Card）等を備え、インターネットを介して、携帯電話２と各種のデータを送受信する。
【００３４】
上記ハードウェア構成を有するメッセージ配信装置３は、機能的には、図５に示すように、メッセージデータベース（メッセージＤＢ）３０１と、メッセージ取得要求受信部３０２と、メッセージ取得部３０３と、メッセージ送信部３０４と、を備える。
【００３５】
メッセージＤＢ３０１は、携帯電話２の待受中画面に表示するメッセージを記憶する。具体的には、メッセージＤＢ３０１には、図６に示すように、発呼先の電話番号と、この発呼先の電話番号宛に発呼した携帯電話２の待受中画面に表示するメッセージと、が対応付けて記憶される。なお、この図の先頭エントリに含まれる発呼先の電話番号は、鉄道会社のヘルプセンターの電話番号であり、対応するメッセージとして、鉄道の遅延情報が記憶されている。また、２番目のエントリに含まれる発呼先の電話番号は、空港会社のヘルプセンターの電話番号であり、対応するメッセージとして、飛行機の運行情報が記憶されている。なお、メッセージＤＢ３０１には、発呼先の電話番号に対応したメッセージが登録されていないことを通知するメッセージ（未登録通知メッセージ）も記憶されている。メッセージデータベース３０１は、記憶部３１等により実現される。
【００３６】
図５に戻り、メッセージ取得要求受信部３０２は、発呼元の携帯電話２から、発呼先の電話番号が含まれたメッセージ取得要求を受信し、メッセージ取得部３０３に転送する。メッセージ取得要求受信部３０２は、制御部３０やデータ通信部３２等により実現される。
【００３７】
メッセージ取得部３０３は、メッセージＤＢ３０１を参照し、受信したメッセージ取得要求に含まれる発呼先の電話番号に対応するメッセージがメッセージＤＢ３０１に登録されているか否かを判別する。そして、メッセージが登録されていると判別した場合、メッセージ取得部３０３は、このメッセージをメッセージＤＢ３０１から取得してメッセージ送信部３０４に転送する。一方、メッセージが登録されていないと判別した場合、メッセージ取得部３０３は、その旨を通知するメッセージ（未登録通知メッセージ）をメッセージＤＢ３０１から取得してメッセージ送信部３０４に転送する。メッセージ取得部３０３は、制御部３０等により実現される。
【００３８】
メッセージ送信部３０４は、メッセージ取得部３０３から転送されたメッセージを発呼元の携帯電話２に送信する。メッセージ送信部３０４は、制御部３０やデータ通信部３２等により実現される。
【００３９】
続いて、メッセージ配信システム１が実行する処理（メッセージ配信処理）の動作について、図７のフローチャートを用いて説明する。なお、メッセージＤＢ３０１には、予め、オペレータの入力操作等により、発呼先に応じた適切なメッセージが格納されているものとする。
【００４０】
ユーザは、携帯電話２の操作部２３を操作して、発呼先の電話番号を入力して電話をかける。この操作に応答して、通話部２００は、入力された電話番号が示す発呼先に対して発呼する。また、通話部２００は、発呼通知信号をメッセージ取得要求送信部２０１と接続判別部２０４とに送信する。
【００４１】
通話部２００からの発呼通知信号を受信すると、メッセージ取得要求送信部２０１は、この発呼通知信号を解析して、発呼先の電話番号を取得する（ステップＳ１０１）。そして、メッセージ取得要求送信部２０１は、取得した発呼先の電話番号を含むメッセージ取得要求をメッセージ配信装置３に送信する（ステップＳ１０２）。
【００４２】
メッセージ配信装置３では、メッセージ取得要求受信部３０２がメッセージ取得要求を受信すると、メッセージ取得部３０３は、このメッセージ取得要求に含まれる発呼先の電話番号に対応するメッセージが、メッセージＤＢ３０１に登録されているか否かを判別する（ステップＳ１０３）。
【００４３】
メッセージが登録されていると判別すると（ステップＳ１０３；Ｙｅｓ）、メッセージ取得部３０３は、このメッセージをメッセージＤＢ３０１から取得し（ステップＳ１０４）、メッセージ送信部３０４に転送する。
【００４４】
一方、メッセージが登録されていないと判別すると（ステップＳ１０３；Ｎｏ）、メッセージ取得部３０３は、その旨を通知するメッセージ（未登録通知メッセージ）をメッセージＤＢ３０１から取得し（ステップＳ１０５）、メッセージ送信部３０４に転送する。
【００４５】
メッセージ送信部３０４は、メッセージ取得部３０３から転送されたメッセージを発呼元の携帯電話２に送信し（ステップＳ１０６）、メッセージ配信装置３での処理は終了する。
【００４６】
携帯電話２のメッセージ受信部２０２がメッセージ配信装置３からメッセージを受信すると（ステップＳ１０７）、メッセージ表示部２０３は、受信したメッセージを待受中の画面に表示し（ステップＳ１０８）、メッセージ配信処理は終了する。
【００４７】
なお、図７には示さないが、携帯電話２の接続判別部２０４は、発呼後、定期的に（例えば８ミリ秒ごとに）、発呼先と通話可能か否かを判別する処理をバックグラウンドで実行している。そして、通話可能になったと判別した場合、メッセージ表示部２０３は、割込処理により、図８（Ｃ）に示すような、その旨を示すメッセージ（この例ではメッセージ「接続」）を待受画面に表示する。
【００４８】
続いて、上述したメッセージ配信処理について、具体例を挙げて説明する。なお、メッセージＤＢ３０１には、図６に示すような情報が記憶されているものとする。この状態において、携帯電話２が電話番号「０３−５５５５−５５５５」宛に発呼した場合を考える。この場合、この電話番号に対応するメッセージはメッセージＤＢ３０１に登録さており、携帯電話２の待受画面には、図８（Ａ）に示すように、登録されているメッセージが表示される。
一方、携帯電話２がメッセージＤＢ３０１に登録されていない電話番号宛に発呼した場合、携帯電話２の待受画面には、図８（Ｂ）に示すように、未登録通知メッセージ「メッセージは登録されていません。」が表示される。
【００４９】
以上説明したように、本実施形態に係るメッセージ配信システム１によれば、携帯電話２が発呼した際に、発呼先の識別情報である電話番号がメッセージ配信装置３に送信される。そして、メッセージ配信装置３は、受信した電話番号に基づいてメッセージを特定し、携帯電話２に配信する。そして、携帯電話２の待受画面には、配信された発呼先に対応したメッセージが表示される。このため、待受中に、従来よりも有用な情報を発呼者に提供することが可能となる。
【００５０】
特に、本実施形態によれば、災害等が発生して発呼先と電話が繋がりにくい場合であっても、待受中に発呼先に対応したメッセージが表示される。従って、この表示を見た発呼者は、発呼先からある程度目的の情報を得ることができるため、長時間待受中を維持する行為をしなくなる。従って、回線の混雑を防止することも可能となる。
【００５１】
以上、本発明の実施形態を説明してきたが、本発明は上記の実施形態および図面によって限定されるものではない。本発明は、本発明の広義の精神と範囲を逸脱することなく、様々な実施形態および変形が可能とされるものである。
【００５２】
例えば、上記実施形態では、メッセージ配信処理において、発呼先の電話番号に対応するメッセージが登録されていない場合（図７、ステップ１０３；Ｎｏ）、未登録通知メッセージを取得して携帯電話２に表示した（ステップＳ１０５〜Ｓ１０８）。しかしながら、この処理に替わって、メッセージが登録されていない場合、メッセージ取得部３０３は、発呼先の電話番号から発呼先の属する地域を判別してもよい。そして、メッセージ取得部３０３は、予め地域毎にメッセージが格納されているメッセージＤＢ３０１から、判別した地域に対応するメッセージを取得して携帯電話２に送信し、待受画面に表示させてもよい。このようにすることで、発呼先に対応するメッセージが登録されていない場合であっても、発呼先の地域のＰＲメッセージ等を表示することが可能となる。
【００５３】
例えば、上記実施形態では、メッセージ配信処理において、携帯電話２の待受画面に、発呼先の電話番号に対応したメッセージを表示した。しかしながら、発呼元（即ち、携帯電話２）の電話番号（識別情報）に対応したメッセージを待受画面に表示してもよい。この場合、図９に示すように、メッセージＤＢ３０１には、発呼元の電話番号毎にメッセージを記憶しておく。そして、発呼の際にメッセージ配信装置３に送信するメッセージ取得要求には、発呼元の電話番号を含ませればよい。このようにすることで、発呼者の嗜好に合致した宣伝メッセージ等を、待受中画面に表示させることが可能となる。
【００５４】
また、メッセージ配信処理において、携帯電話の待受画面に、発呼元及び発呼先の両方の電話番号（識別情報）に対応したメッセージを表示してもよい。この場合、図１０に示すように、メッセージＤＢ３０１には、発呼元の電話番号と発呼先の電話番号との組毎にメッセージを記憶しておく。そして、発呼の際にメッセージ配信装置３に送信するメッセージ取得要求には、発呼元の電話番号と発呼先の電話番号とを含ませればよい。このようにすることで、同じ発呼先に発呼する場合であっても、発呼元に応じて異なるメッセージを表示させること等が可能となり、より有用な情報を待受中に表示させることが可能となる。
【００５５】
また、図１１に示すように、メッセージ配信装置３と気象情報配信システムや鉄道遅延情報配信システム等の公知の外部システム４とをインターネットを介して、データ通信可能に接続する。そして、メッセージ配信装置３の制御部３０は、外部システム４からメッセージを受信し、メッセージＤＢ３０１に格納されているメッセージを更新してもよい。例えば、制御部３０は、鉄道遅延情報配信システムから、定期的（例えば１時間毎）に、鉄道の遅延情報を受信し、図６に示すメッセージＤＢの先頭エントリに含まれるメッセージを更新してもよい。このようにすることで、メッセージＤＢ３０１に記憶されているメッセージを、発呼先に対応した最新のメッセージに自動的に更新することができ、より有用なメッセージを発呼者に提供することが可能となる。
【００５６】
また、上記実施形態では、携帯電話２の待受中画面にメッセージを配信するシステムについて説明した。しかしながら、携帯電話２に限らず、固定電話や通話機能を有するコンピュータ、ＰＤＡ（Personal Digital Assistant）などの端末にも本発明は適用可能である。
【００５７】
また、上記実施形態ではメッセージ配信装置３が一台しか示されていないが、これは説明を容易にするためのものであって、複数台であってもよい。特に端末の数が増えた場合、メッセージ配信装置３に負荷がかかるため、端末の数に応じてメッセージ配信装置３の数を増やすことで負荷を分散させてもよい。
【００５８】
また、上記実施形態ではメッセージの例として専らテキストメッセージを挙げたが、メッセージは動画像などでもよい。
【００５９】
また、上記実施形態では携帯電話２とメッセージ配信装置３とがインターネットを介して接続されていたが、この他に専用線やＬＡＮ（Local Area Network）を介して接続されていてもよい。
【００６０】
また、本実施形態に係る携帯電話２またはメッセージ配信装置３は、専用のシステムによらず、通常のコンピュータシステムを用いて実現することが可能である。例えば、本実施形態に係る携帯電話２またはメッセージ配信装置３の動作を実行させるためのコンピュータプログラムを、コンピュータが読み取り可能な記録媒体（フレキシブルディスク、ＣＤ−ＲＯＭ、ＤＶＤ−ＲＯＭ等）に格納して配布し、上記コンピュータプログラムをコンピュータにインストールすることにより、本発明に係る端末またはメッセージ配信装置を実現してもよい。
【００６１】
また、上記コンピュータプログラムを、インターネット等の通信ネットワーク上のサーバ装置が有する記憶装置（例えば、ディスク装置）に格納しておき、通常のコンピュータシステムがダウンロードすることによって本発明に係る端末またはメッセージ配信装置を実現してもよい。
【００６２】
また、本発明に係る端末またはメッセージ配信装置の機能を、オペレーティングシステムとアプリケーションプログラムの協働により実現する場合には、アプリケーションプログラム部分のみを記録媒体や記憶装置に格納してもよい。
【００６３】
なお、上記コンピュータプログラムを搬送波に重畳し、通信ネットワークを介して配信することも可能である。
【符号の説明】
【００６４】
１  メッセージ配信システム
２  携帯電話
３  メッセージ配信装置
４  外部システム
２０  制御部
２１  記憶部
２２  電話通信部
２３  操作部
２４  ディスプレイ
２５  音声入力部
２６  音声出力部
２７  データ通信部
２８  バス
３０  制御部
３１  記憶部
３２  データ通信部
３３  バス
２００  通話部
２０１  メッセージ取得要求送信部
２０２  メッセージ受信部
２０３  メッセージ表示部
２０４  接続判別部
３０１  メッセージＤＢ
３０２  メッセージ取得要求受信部
３０３  メッセージ取得部
３０４  メッセージ送信部
【図１】
2014216687.tif 000003
【図２】
2014216687.tif 000004
【図３】
2014216687.tif 000005
【図４】
2014216687.tif 000006
【図５】
2014216687.tif 000007
【図６】
2014216687.tif 000008
【図７】
2014216687.tif 000009
【図８】
2014216687.tif 000010
【図９】
2014216687.tif 000011
【図１０】
2014216687.tif 000012
【図１１】
2014216687.tif 000013